【手続補正書】
【提出日】令和3年9月28日(2021.9.28)
【手続補正１】
【補正対象書類名】明細書
【補正対象項目名】０００７
【補正方法】変更
【補正の内容】
【０００７】
すなわち、本発明は、吸収体と、前記吸収体を保持する外装体とを備えた吸収性物品であって、前記外装体は、下記（Ａ）乃至（Ｃ）のいずれかの構成からなり、吸湿時と乾燥時との厚さ方向の全光透過率の差が５％以上であり、前記外装体の色は、マンセル表色系において、下記（ａ）乃至（ｃ）のいずれかである吸収性物品である。
（Ａ）熱可塑性繊維からなる着用者の肌側の内層シートと、熱可塑性繊維からなる非肌側の外層シートと、前記内層シートと外層シートとの間に配置されたセルロース繊維含有シートとを備えた構成、
（Ｂ）熱可塑性繊維からなる着用者の肌側の内層シートと、熱可塑性繊維からなる非肌側の外層シートと、前記内層シートよりも着用者の肌側に配置されたセルロース繊維含有シートとを備えた構成、
（Ｃ）熱可塑性繊維部位とセルロース繊維部位とからなる着用者の肌側の内層シートと、熱可塑性繊維からなる非肌側の外層シートとを備えた構成
（ａ）明度が、Ｎ９．０（白）
（ｂ）色相が、Ｒ（赤）、ＹＲ（黄赤）又はＹ（黄）、明度Ｖ８以下、且つ彩度Ｃ３以上
（ｃ）色相が、ＧＹ(黄緑)、Ｇ（緑）、ＢＧ（青緑）、Ｂ（青）、ＰＢ（青紫）、Ｐ（紫）又はＲＰ（赤紫）
【手続補正２】
【補正対象書類名】明細書
【補正対象項目名】００１５
【補正方法】変更
【補正の内容】
【００１５】
すなわち、乾燥時には、セルロース繊維間又はセルロース繊維と熱可塑性繊維の他の繊維の間に空気が存在している。セルロース繊維の屈折率は約１．５５であり、空気の屈折率は約１．０であるので、セルロース繊維との間で光が反射される。セルロース繊維含有シート１３３が吸湿した際には、セルロース繊維間に水分が保持される。水の屈折率は約１．３であるので、乾燥時より反射光が減少する。本発明において外装体は、吸湿時と乾燥時との厚さ方向の全光透過率の差を５％以上とし、上記（ａ）乃至（ｃ）のいずれかを満たす色を呈するよう構成したので、外装体が吸湿すると、セルロース繊維含有シート１３３の全光透過率が増加し、ひいては外装体１３の全光透過率が増加することによって、着用者の肌の色が透けて見えて、着用者の発汗を外部から認識することができる。
【手続補正３】
【補正対象書類名】明細書
【補正対象項目名】００４３
【補正方法】変更
【補正の内容】
【００４３】
上述した実施形態に関し、本発明はさらに以下の吸収性物品を開示する。
＜１＞吸収体と、該吸収体を保持する外装体とを備えた吸収性物品であって、
前記外装体は、下記（Ａ）乃至（Ｃ）のいずれかの構成からなり、吸湿時と乾燥時との厚さ方向の全光透過率の差が５％以上であり、
前記外装体の色は、マンセル表色系において、下記（ａ）乃至（ｃ）のいずれかである吸収性物品。
（Ａ）熱可塑性繊維からなる着用者の肌側の内層シートと、熱可塑性繊維からなる非肌側の外層シートと、前記内層シートと外層シートとの間に配置されたセルロース繊維含有シートとを備えた構成、
（Ｂ）熱可塑性繊維からなる着用者の肌側の内層シートと、熱可塑性繊維からなる非肌側の外層シートと、前記内層シートよりも着用者の肌側に配置されたセルロース繊維含有シートとを備えた構成、
（Ｃ）熱可塑性繊維部位とセルロース繊維部位とからなる着用者の肌側の内層シートと、熱可塑性繊維からなる非肌側の外層シートとを備えた構成
（ａ）明度が、Ｎ９．０（白）
（ｂ）色相が、Ｒ（赤）、ＹＲ（黄赤）又はＹ（黄）、明度Ｖ８以下、且つ彩度Ｃ３以上
（ｃ）色相が、ＧＹ(黄緑)、Ｇ（緑）、ＢＧ（青緑）、Ｂ（青）、ＰＢ（青紫）、Ｐ（紫）又はＲＰ（赤紫）
＜２＞該外装体は、乾燥時の全光透過率が７０％以下である前記＜１＞に記載の吸収性物品。
＜３＞該外装体は、吸湿時と乾燥時との厚さ方向の全光透過率の差が１０％以上である前記＜１＞又は＜２＞に記載の吸収性物品。
＜４＞該外装体は、吸湿時と乾燥時との厚さ方向の全光透過率の差が１５％以上である前記＜３＞に記載の吸収性物品。
＜５＞該外装体は、吸湿時と乾燥時との厚さ方向の全光透過率の差が４０％以下である前記＜１＞〜＜４＞のいずれか１に記載の吸収性物品。
＜６＞該外装体は、吸湿時と乾燥時との厚さ方向の全光透過率の差が３５％以下である前記＜５＞に記載の吸収性物品。
＜７＞該セルロース繊維含有シートは、木材パルプ、再生パルプ、化学パルプから選択される少なくとも１種を含有する前記＜１＞〜＜６＞のいずれか１に記載の吸収性物品。
＜８＞該（Ａ）又は（Ｂ）の構成である前記＜１＞〜＜７＞のいずれか１に記載の吸収性物品。
＜９＞該セルロース繊維含有シートは、セルロース繊維を少なくとも７質量％含有する前記＜８＞に記載の吸収性物品。
＜１０＞該セルロース繊維含有シートは、該セルロース繊維を少なくとも１０質量％含有する前記＜９＞に記載の吸収性物品。
＜１１＞該セルロース繊維含有シートは、該セルロース繊維を１００質量％含有する前記＜９＞又は＜１０＞に記載の吸収性物品。
＜１２＞該セルロース繊維含有シートは、見掛け密度が０．０１０ｇ／ｃｍ3以上である前記＜８＞〜＜１１＞のいずれか１に記載の吸収性物品。
＜１３＞該セルロース繊維含有シートは、見掛け密度が０．０１２ｇ／ｃｍ3以上である前記＜１２＞に記載の吸収性物品。
＜１４＞該セルロース繊維含有シートは、見掛け密度が０．２ｇ／ｃｍ3以下である前記＜８＞〜＜１３＞のいずれか１に記載の吸収性物品。
＜１５＞該セルロース繊維含有シートは、見掛け密度が０．１５ｇ／ｃｍ3以下である前記＜１４＞に記載の吸収性物品。
＜１６＞該セルロース繊維含有シートは、見掛け密度が０．１ｇ／ｃｍ3以下である前記＜１５＞に記載の吸収性物品。
＜１７＞該セルロース繊維含有シートは、少なくとも一部の色が、該内層シート及び該外層シートの両方と異なっている前記＜８＞〜＜１６＞のいずれか１に記載の吸収性物品。
＜１８＞該セルロース繊維は、全質量の０．０１％以上が着色されている前記＜８＞〜＜１７＞のいずれか１に記載の吸収性物品。
＜１９＞該セルロース繊維は、全質量の０．０５％以上が着色されている前記＜１８＞に記載の吸収性物品。
＜２０＞該セルロース繊維は、全質量の８０％以下が着色されている前記＜８＞〜＜１９＞のいずれか１に記載の吸収性物品。
＜２１＞該セルロース繊維は、全質量の６０％以下が着色されている前記＜２０＞に記載の吸収性物品。
＜２２＞該セルロース繊維含有シートが紙であり、その少なくとも一部に、該外層シート又は該内層シートとの接合部を有する前記＜８＞〜＜２１＞のいずれか１に記載の吸収性物品。
＜２３＞該接合部がホットメルト接着剤からなる、前記＜２２＞に記載の吸収性物品。
＜２４＞該外装体が弾性体をさらに含む、前記＜８＞〜＜２３＞のいずれか１に記載の吸収性物品。
＜２５＞該弾性体が糸ゴムである、前記＜２４＞に記載の吸収性物品。
＜２６＞該弾性体が、該外層シートと該セルロース繊維含有シートとの間に備えられる、前記＜２４＞又は＜２５＞に記載の吸収性物品。
＜２７＞該弾性体が、該内層シートと該セルロース繊維含有シートとの間に配置される、前記＜２４＞又は＜２５＞に記載の吸収性物品。
＜２８＞該セルロース繊維含有シートが、該弾性体と該外層シートとの間に配置される、前記＜２７＞に記載の吸収性物品。
＜２９＞該セルロース繊維含有シートが、ホットメルト接着剤により該弾性体と接合され、該弾性体を介して該内層シートと接合されて成る、前記＜２７＞又は＜２８＞に記載の吸収性物品。
＜３０＞該内層シートと該外層シートがスパンボンド不織布である、前記＜８＞〜＜２９＞のいずれか１に記載の吸収性物品。
＜３１＞該内層シートと該外層シートがエアスルー不織布である、前記＜８＞〜＜２９＞のいずれか１に記載の吸収性物品。
＜３２＞該内層シートと該外層シートが、熱可塑性繊維シート又は熱可塑性繊維複合シートである、前記＜８＞〜＜３１＞のいずれか１に記載の吸収性物品。
＜３３＞熱可塑性繊維シート又は熱可塑性繊維複合シートの坪量は、５ｇ／ｍ2以上である、前記＜３２＞に記載の吸収性物品。
＜３４＞熱可塑性繊維シート又は熱可塑性繊維複合シートの坪量は、７ｇ／ｍ2以上である、前記＜３３＞に記載の吸収性物品。
＜３５＞熱可塑性繊維シート又は熱可塑性繊維複合シートの坪量は、１０ｇ／ｍ2以上である、前記＜３４＞に記載の吸収性物品。
＜３６＞熱可塑性繊維シート又は熱可塑性繊維複合シートの坪量は、５０ｇ／ｍ2以下である、前記＜３２＞〜＜３５＞のいずれか１に記載の吸収性物品。
＜３７＞熱可塑性繊維シート又は熱可塑性繊維複合シートの坪量は、４５ｇ／ｍ2以下である、前記＜３６＞に記載の吸収性物品。
＜３８＞熱可塑性繊維シート又は熱可塑性繊維複合シートの坪量は、４０ｇ／ｍ2以下である、前記＜３７＞に記載の吸収性物品。
＜３９＞該外層シートの坪量は、該内層シートの坪量より高い、前記＜８＞〜＜３８＞のいずれか１に記載の吸収性物品。
＜４０＞該（Ｃ）の構成である前記＜１＞〜＜７＞のいずれか１に記載の吸収性物品。
＜４１＞該内層シートは、２層の熱可塑性繊維ウェブの間にパルプを配置し、柱状水流を噴射して得られたスパンレース不織布である、前記＜４０＞に記載の吸収性物品。
＜４２＞該内層シートにおける該セルロース繊維の含有量は、該内層シートの全質量の１０％以上である、前記＜４０＞又は＜４１＞に記載の吸収性物品。
＜４３＞該内層シートにおける該セルロース繊維の含有量は、該内層シートの全質量の１２％以上である、前記＜４２＞に記載の吸収性物品。
＜４４＞該内層シートにおける該セルロース繊維の含有量は、該内層シートの全質量の９０％以下である、前記＜４０＞〜＜４３＞のいずれか１に記載の吸収性物品。
＜４５＞該内層シートにおける該セルロース繊維の含有量は、該内層シートの全質量の８０％以下である、前記＜４４＞に記載の吸収性物品。
【手続補正４】
【補正対象書類名】特許請求の範囲
【補正対象項目名】請求項１
【補正方法】変更
【補正の内容】
【請求項１】
吸収体と、該吸収体を保持する外装体とを備えた吸収性物品であって、
前記外装体は、下記（Ａ）乃至（Ｃ）のいずれかの構成からなり、吸湿時と乾燥時との厚さ方向の全光透過率の差が５％以上であり、
前記外装体の色は、マンセル表色系において、下記（ａ）乃至（ｃ）のいずれかである吸収性物品。
（Ａ）熱可塑性繊維からなる着用者の肌側の内層シートと、熱可塑性繊維からなる非肌側の外層シートと、前記内層シートと外層シートとの間に配置されたセルロース繊維含有シートとを備えた構成、
（Ｂ）熱可塑性繊維からなる着用者の肌側の内層シートと、熱可塑性繊維からなる非肌側の外層シートと、前記内層シートよりも着用者の肌側に配置されたセルロース繊維含有シートとを備えた構成、
（Ｃ）熱可塑性繊維部位とセルロース繊維部位とからなる着用者の肌側の内層シートと、熱可塑性繊維からなる非肌側の外層シートとを備えた構成
（ａ）明度が、Ｎ９．０（白）
（ｂ）色相が、Ｒ（赤）、ＹＲ（黄赤）又はＹ（黄）、明度Ｖ８以下、且つ彩度Ｃ３以上
（ｃ）色相が、ＧＹ(黄緑)、Ｇ（緑）、ＢＧ（青緑）、Ｂ（青）、ＰＢ（青紫）、Ｐ（紫）又はＲＰ（赤紫）